(57)【特許請求の範囲】
【請求項１】
現金処理を実行する現金処理装置において、
各部の動作を制御する制御部と、
筺体に取り付けられている扉と、
前記扉を固定する扉ロック機構と、
紙幣を収納するための１乃至複数の収納カセットが内部に格納された紙幣ユニットと、
前記紙幣ユニットを前記筐体の内部に固定するユニットロック機構とを有し、
１乃至複数の前記収納カセットの少なくとも１つは、リジェクト庫として使用されているとともに、前記紙幣ユニットが前記筺体の内部に固定され、かつ、前記扉が閉鎖された状態において、そのリジェクト庫として使用されている前記収納カセットは、前記扉と前記紙幣ユニットとの２つの部材で前記筺体の外部から隠されており、
前記ユニットロック機構は、当該ユニットロック機構の施錠状態及び開錠状態のいずれかの状態を検知するロック検知部を備えており、
前記扉ロック機構及び前記ユニットロック機構は、それぞれ、異なる専用のキーによって施錠及び開錠が行われ、
前記制御部は、前記ロック検知部からの状態検知結果に基づいて、前記ユニットロック機構の前記施錠状態及び前記開錠状態のいずれの状態かを判定する
ことを特徴とする現金処理装置。
【請求項２】
請求項１に記載の現金処理装置において、
前記収納カセットは、前記筐体の扉を開放した後に、前記紙幣ユニットが前記筐体から引き出されることにより、前記紙幣ユニットの内部からの取り出しが可能になる
ことを特徴とする現金処理装置。
【請求項３】
請求項１又は請求項２に記載の現金処理装置において、
前記ロック検知部は、前記ユニットロック機構の前記施錠状態及び前記開錠状態のいずれかの状態に応じた値の信号を前記制御部に出力し、
前記制御部は、前記ロック検知部から出力される信号の値に基づいて、前記施錠状態及び前記開錠状態のいずれの状態かを判定する
ことを特徴とする現金処理装置。
【請求項４】
請求項１乃至請求項３のいずれか一項に記載の現金処理装置において、
前記制御部は、判定された前記ユニットロック機構の状態を表す履歴情報を記録する
ことを特徴とする現金処理装置。
【請求項５】
請求項４に記載の現金処理装置において、
前記履歴情報は、日時情報と個々の係員に予め割り振られた係員ＩＤ情報とを含む構成になっている
ことを特徴とする現金処理装置。
【請求項６】
現金処理を実行する現金処理装置において、
各部の動作を制御する制御部と、
紙幣を収納するための収納カセットで、かつ、リジェクト庫として使用することが可能な当該収納カセットが、その内部に格納された紙幣ユニットと、
前記紙幣ユニットを筐体の内部に固定するユニットロック機構とを有し、
前記ユニットロック機構は、前記筐体の内部に設けられた突起部と、前記突起部に係合する係合部を備えるロック部材とを有し、
前記ロック部材は、
前記紙幣ユニットに固定されるベースブラケットと、
前記係合部を備え、前記ベースブラケットに軸支され、先端部が回動するロックブラケットと、
前記ロックブラケットの先端部が閉鎖されている状態を、前記係合部が前記突起部に係合する当該ユニットロック機構の施錠状態とし、前記ロックブラケットの先端部が開放されている状態を、前記係合部が前記突起部から外れる当該ユニットロック機構の開錠状態とし、前記ロックブラケットの先端部の状態に応じて、当該ユニットロック機構の前記施錠状態及び前記開錠状態のいずれか一方の値の信号を前記制御部に出力するロック検知部とを備えており、
前記ロック検知部は、発光センサと受光センサとを前記ベースブラケットに備えており、
前記ロックブラケットは、前記発光センサと前記受光センサとの間を摺動する遮蔽板を支持しており、
前記遮蔽板は、前記発光センサから前記受光センサに照射される光を遮光して前記受光センサに到達させない状態を遮光状態とし、当該光を遮光せずに前記受光センサに到達させる状態を非遮光状態とし、当該ユニットロック機構の施錠時及び開錠時に、前記発光センサと前記受光センサとの間で摺動することにより、その状態が当該遮光状態及び当該非遮光状態のいずれかに変化し、
前記ロック検知部が出力する信号は、前記遮蔽板の状態の変化に応じたものであり、
前記制御部は、前記ロック検知部からの前記信号に基づいて、前記ユニットロック機構の前記施錠状態及び前記開錠状態のいずれの状態かを判定する
ことを特徴とする現金処理装置。
【請求項７】
現金処理を実行する現金処理装置において、
各部の動作を制御する制御部と、
紙幣を収納するための収納カセットで、かつ、リジェクト庫として使用することが可能な当該収納カセットが、その内部に格納された紙幣ユニットと、
前記紙幣ユニットを筐体の内部に固定するユニットロック機構とを有し、
前記ユニットロック機構は、前記筐体の内部に設けられた突起部と、前記突起部に係合する係合部を備えるロック部材とを有し、
前記ロック部材は、
前記紙幣ユニットに固定されるベースブラケットと、
前記係合部を備え、前記ベースブラケットに軸支され、先端部が回動するロックブラケットと、
前記ロックブラケットの先端部が閉鎖されている状態を、前記係合部が前記突起部に係合する当該ユニットロック機構の施錠状態とし、前記ロックブラケットの先端部が開放されている状態を、前記係合部が前記突起部から外れる当該ユニットロック機構の開錠状態とし、前記ロックブラケットの先端部の状態に応じて、当該ユニットロック機構の前記施錠状態及び前記開錠状態のいずれか一方の値の信号を前記制御部に出力するロック検知部とを備えており、
前記ロックブラケットは、当該ユニットロック機構を施錠及び開錠するためのユニットキーが挿し込まれるユニットキー用鍵穴が、天板の上面に設けられているとともに、当該ユニットキーと噛み合うキーシリンダが、当該天板の下面の、当該ユニットキー用鍵穴の直下の位置に取り付けられており、
前記キーシリンダは、その先端部にフック部材を備えており、
前記ベースブラケットは、前記フック部材と係合する固定部材が、底板の上面に設けられており、
前記フック部材は、当該ユニットロック機構の施錠時に、前記キーシリンダが施錠位置方向に回動することにより、前記固定部材と係合し、一方、当該ユニットロック機構の開錠時に、前記キーシリンダが開錠位置方向に回動することにより、前記固定部材との係合が解かれる構造になっており、
前記制御部は、前記ロック検知部からの前記信号に基づいて、前記ユニットロック機構の前記施錠状態及び前記開錠状態のいずれの状態かを判定する
ことを特徴とする現金処理装置。
【請求項８】
現金処理装置の筐体の内部に収納された紙幣ユニットを固定するユニットロック機構であって、
前記筐体の内部に設けられた突起部と、
前記突起部に係合する係合部を備えるロック部材とを有し、
前記ロック部材は、
前記紙幣ユニットに固定されるベースブラケットと、
前記係合部を備え、前記ベースブラケットに軸支され、先端部が回動するロックブラケットと、
前記ロックブラケットの先端部が閉鎖されている状態を、前記係合部が前記突起部に係合する当該ユニットロック機構の施錠状態とし、前記ロックブラケットの先端部が開放されている状態を、前記係合部が前記突起部から外れる当該ユニットロック機構の開錠状態とし、前記ロックブラケットの先端部の状態に応じて、当該ユニットロック機構の前記施錠状態及び前記開錠状態のいずれか一方の値の信号を前記現金処理装置に設けられた制御部に出力するロック検知部とを備えており、
前記ロック検知部は、発光センサと受光センサとを前記ベースブラケットに備えており、
前記ロックブラケットは、前記発光センサと前記受光センサとの間を摺動する遮蔽板を支持しており、
前記遮蔽板は、前記発光センサから前記受光センサに照射される光を遮光して前記受光センサに到達させない状態を遮光状態とし、当該光を遮光せずに前記受光センサに到達させる状態を非遮光状態とし、当該ユニットロック機構の施錠時及び開錠時に、前記発光センサと前記受光センサとの間で摺動することにより、その状態が当該遮光状態及び当該非遮光状態のいずれかに変化し、
前記ロック検知部は、前記遮蔽板の状態の変化に応じた値の信号を出力する
ことを特徴とするユニットロック機構。
【請求項９】
現金処理装置の筐体の内部に収納された紙幣ユニットを固定するユニットロック機構であって、
前記筐体の内部に設けられた突起部と、
前記突起部に係合する係合部を備えるロック部材とを有し、
前記ロック部材は、
前記紙幣ユニットに固定されるベースブラケットと、
前記係合部を備え、前記ベースブラケットに軸支され、先端部が回動するロックブラケットと、
前記ロックブラケットの先端部が閉鎖されている状態を、前記係合部が前記突起部に係合する当該ユニットロック機構の施錠状態とし、前記ロックブラケットの先端部が開放されている状態を、前記係合部が前記突起部から外れる当該ユニットロック機構の開錠状態とし、前記ロックブラケットの先端部の状態に応じて、当該ユニットロック機構の前記施錠状態及び前記開錠状態のいずれか一方の値の信号を前記現金処理装置に設けられた制御部に出力するロック検知部とを備えており、
前記ロックブラケットは、当該ユニットロック機構を施錠及び開錠するためのユニットキーが挿し込まれるユニットキー用鍵穴が、天板の上面に設けられているとともに、当該ユニットキーと噛み合うキーシリンダが、当該天板の下面の、当該ユニットキー用鍵穴の直下の位置に取り付けられており、
前記キーシリンダは、その先端部にフック部材を備えており、
前記ベースブラケットは、前記フック部材と係合する固定部材が、底板の上面に設けられており、
前記フック部材は、当該ユニットロック機構の施錠時に、前記キーシリンダが施錠位置方向に回動することにより、前記固定部材と係合し、一方、当該ユニットロック機構の開錠時に、前記キーシリンダが開錠位置方向に回動することにより、前記固定部材との係合が解かれる構造になっている
ことを特徴とするユニットロック機構。
【発明の詳細な説明】
【技術分野】
【０００１】
本発明は、現金処理を実行する現金処理装置に関し、特に、リジェクト紙幣を収納するリジェクト庫のセキュリティを向上させた現金処理装置に関する。また、本発明は、当該現金処理装置に用いるユニットロック機構に関する。
【背景技術】
【０００２】
例えば、金融機関や流通機関に設置された自動取引装置（ＡＴＭ）等の現金処理装置は、筐体の内部に、出金紙幣として使用不能な紙幣（リジェクト紙幣）を収納するリジェクト庫を有している（特許文献１参照）。
従来の現金処理装置は、リジェクト庫が、出金紙幣として使用可能な紙幣（正券）を収納する紙幣ユニットの外部（例えば、紙幣ユニットの上部）に配置されていた。
【先行技術文献】
【特許文献】
【０００３】
【特許文献１】特開２００９−１９９６１９号公報
【発明の概要】
【発明が解決しようとする課題】
【０００４】
しかしながら、従来の現金処理装置は、以下に説明するように、悪意のある係員によって痕跡を残すことなく、紙幣が抜き取られる可能性がある、という課題があった。
【０００５】
例えば、現金処理装置の始動操作やメンテナンス等の作業を行う係員の中には、悪意のある係員が潜む可能性がある。
従来の現金処理装置は、リジェクト庫が紙幣ユニットの外部に配置されている。そのため、従来の現金処理装置は、悪意のある係員が筐体の内部を封止する扉（例えば、リヤ扉）を開封した場合に、悪意のある係員がリジェクト庫に容易にアクセスすることができる。その結果、悪意のある係員は、痕跡を残すことなく、リジェクト庫からリジェクト紙幣を抜き取ることが可能である。
したがって、従来の現金処理装置は、悪意のある係員によって痕跡（履歴情報）を残すことなく、紙幣が抜き取られる可能性があった。
【０００６】
なお、紙幣ユニットに収納された紙幣は、現金処理装置の制御部がその有高を厳重に管理している。そのため、金融機関等は、仮に、悪意のある係員によって紙幣ユニットに収納された紙幣が抜き取られる場合があったとしても、その行為を簡単に見つけることができる。
【０００７】
本発明は、前記した課題を解決するためになされたものであり、リジェクト紙幣を収納するリジェクト庫のセキュリティを向上させた現金処理装置、及び、当該現金処理装置に用いるユニットロック機構を提供することを主な目的とする。
【課題を解決するための手段】
【０００８】
前記目的を達成するため、第１発明は、現金処理を実行する現金処理装置であって、各部の動作を制御する制御部と、筺体に取り付けられている扉と、前記扉を固定する扉ロック機構と、紙幣を収納するための１乃至複数の収納カセットが内部に格納された紙幣ユニットと、前記紙幣ユニットを前記筐体の内部に固定するユニットロック機構とを有し、１乃至複数の前記収納カセットの少なくとも１つは、リジェクト庫として使用されているとともに、前記紙幣ユニットが前記筺体の内部に固定され、かつ、前記扉が閉鎖された状態において、そのリジェクト庫として使用されている前記収納カセットは、前記扉と前記紙幣ユニットとの２つの部材で前記筺体の外部から隠されており、前記ユニットロック機構は、当該ユニットロック機構の施錠状態及び開錠状態のいずれかの状態を検知するロック検知部を備えており、前記扉ロック機構及び前記ユニットロック機構は、それぞれ、異なる専用のキーによって施錠及び開錠が行われ、前記制御部は、前記ロック検知部からの状態検知結果に基づいて、前記ユニットロック機構の前記施錠状態及び前記開錠状態のいずれの状態かを判定する構成とする。
【０００９】
この現金処理装置は、リジェクト庫として使用可能な収納カセットが紙幣ユニットの内部に格納されており、ユニットロック機構がその紙幣ユニットを筐体の内部に固定する。そして、この現金処理装置は、ロック検知部がユニットロック機構の施錠状態及び開錠状態のいずれかの状態を検知し、さらに、制御部が、ロック検知部からの状態検知結果に基づいて、施錠状態及び開錠状態のいずれかの状態を判定する。
【００１０】
この現金処理装置は、制御部が、ロック検知部からの状態検知結果に基づいて、ユニットロック機構の施錠状態及び開錠状態のいずれかの状態を判定する。そのため、この現金処理装置は、ユニットロック機構の施錠状態及び開錠状態を監視することができる。
【００１１】
この現金処理装置は、収納カセットをリジェクト庫として使用する場合に、リジェクト庫が紙幣ユニットに格納された構成になる。そのため、この現金処理装置は、係員によるリジェクト庫へのアクセスの有無を監視することができる。その結果、この現金処理装置は、リジェクト庫のセキュリティを向上させることができる。
【００１２】
また、この現金処理装置は、ユニットロック機構の施錠状態及び開錠状態を監視することができるため、その履歴情報を記録することができる。そのため、この現金処理装置は、仮に、悪意のある係員によってリジェクト庫からリジェクト紙幣が抜き取られる場合があったとしても、その行為の痕跡を履歴情報に残すことができる。その結果、この現金処理装置を利用する金融機関等は、この場合に、その行為を簡単に見つけることができる。
【００１３】
また、第２発明は、現金処理を実行する現金処理装置であって、各部の動作を制御する制御部と、紙幣を収納するための収納カセットで、かつ、リジェクト庫として使用することが可能な当該収納カセットが、その内部に格納された紙幣ユニットと、前記紙幣ユニットを筐体の内部に固定するユニットロック機構とを有し、前記ユニットロック機構は、前記筐体の内部に設けられた突起部と、前記突起部に係合する係合部を備えるロック部材とを有し、前記ロック部材は、前記紙幣ユニットに固定されるベースブラケットと、前記係合部を備え、前記ベースブラケットに軸支され、先端部が回動するロックブラケットと、前記ロックブラケットの先端部が閉鎖されている状態を、前記係合部が前記突起部に係合する当該ユニットロック機構の施錠状態とし、前記ロックブラケットの先端部が開放されている状態を、前記係合部が前記突起部から外れる当該ユニットロック機構の開錠状態とし、前記ロックブラケットの先端部の状態に応じて、当該ユニットロック機構の前記施錠状態及び前記開錠状態のいずれか一方の値の信号を前記制御部に出力するロック検知部とを備えており、前記ロック検知部は、発光センサと受光センサとを前記ベースブラケットに備えており、前記ロックブラケットは、前記発光センサと前記受光センサとの間を摺動する遮蔽板を支持しており、前記遮蔽板は、前記発光センサから前記受光センサに照射される光を遮光して前記受光センサに到達させない状態を遮光状態とし、当該光を遮光せずに前記受光センサに到達させる状態を非遮光状態とし、当該ユニットロック機構の施錠時及び開錠時に、前記発光センサと前記受光センサとの間で摺動することにより、その状態が当該遮光状態及び当該非遮光状態のいずれかに変化し、前記ロック検知部が出力する信号は、前記遮蔽板の状態の変化に応じたものであり、前記制御部は、前記ロック検知部からの前記信号に基づいて、前記ユニットロック機構の前記施錠状態及び前記開錠状態のいずれの状態かを判定する構成とする。
また、第３発明は、現金処理を実行する現金処理装置であって、各部の動作を制御する制御部と、紙幣を収納するための収納カセットで、かつ、リジェクト庫として使用することが可能な当該収納カセットが、その内部に格納された紙幣ユニットと、前記紙幣ユニットを筐体の内部に固定するユニットロック機構とを有し、前記ユニットロック機構は、前記筐体の内部に設けられた突起部と、前記突起部に係合する係合部を備えるロック部材とを有し、前記ロック部材は、前記紙幣ユニットに固定されるベースブラケットと、前記係合部を備え、前記ベースブラケットに軸支され、先端部が回動するロックブラケットと、前記ロックブラケットの先端部が閉鎖されている状態を、前記係合部が前記突起部に係合する当該ユニットロック機構の施錠状態とし、前記ロックブラケットの先端部が開放されている状態を、前記係合部が前記突起部から外れる当該ユニットロック機構の開錠状態とし、前記ロックブラケットの先端部の状態に応じて、当該ユニットロック機構の前記施錠状態及び前記開錠状態のいずれか一方の値の信号を前記制御部に出力するロック検知部とを備えており、前記ロックブラケットは、当該ユニットロック機構を施錠及び開錠するためのユニットキーが挿し込まれるユニットキー用鍵穴が、天板の上面に設けられているとともに、当該ユニットキーと噛み合うキーシリンダが、当該天板の下面の、当該ユニットキー用鍵穴の直下の位置に取り付けられており、前記キーシリンダは、その先端部にフック部材を備えており、前記ベースブラケットは、前記フック部材と係合する固定部材が、底板の上面に設けられており、前記フック部材は、当該ユニットロック機構の施錠時に、前記キーシリンダが施錠位置方向に回動することにより、前記固定部材と係合し、一方、当該ユニットロック機構の開錠時に、前記キーシリンダが開錠位置方向に回動することにより、前記固定部材との係合が解かれる構造になっており、前記制御部は、前記ロック検知部からの前記信号に基づいて、前記ユニットロック機構の前記施錠状態及び前記開錠状態のいずれの状態かを判定する構成とする。
また、第４発明は、現金処理装置の筐体の内部に収納された紙幣ユニットを固定するユニットロック機構であって、前記筐体の内部に設けられた突起部と、前記突起部に係合する係合部を備えるロック部材とを有し、前記ロック部材は、前記紙幣ユニットに固定されるベースブラケットと、前記係合部を備え、前記ベースブラケットに軸支され、先端部が回動するロックブラケットと、前記ロックブラケットの先端部が閉鎖されている状態を、前記係合部が前記突起部に係合する当該ユニットロック機構の施錠状態とし、前記ロックブラケットの先端部が開放されている状態を、前記係合部が前記突起部から外れる当該ユニットロック機構の開錠状態とし、前記ロックブラケットの先端部の状態に応じて、当該ユニットロック機構の前記施錠状態及び前記開錠状態のいずれか一方の値の信号を前記現金処理装置に設けられた制御部に出力するロック検知部とを備えており、前記ロック検知部は、発光センサと受光センサとを前記ベースブラケットに備えており、前記ロックブラケットは、前記発光センサと前記受光センサとの間を摺動する遮蔽板を支持しており、前記遮蔽板は、前記発光センサから前記受光センサに照射される光を遮光して前記受光センサに到達させない状態を遮光状態とし、当該光を遮光せずに前記受光センサに到達させる状態を非遮光状態とし、当該ユニットロック機構の施錠時及び開錠時に、前記発光センサと前記受光センサとの間で摺動することにより、その状態が当該遮光状態及び当該非遮光状態のいずれかに変化し、前記ロック検知部は、前記遮蔽板の状態の変化に応じた値の信号を出力する構成とする。
このユニットロック機構は、第１発明に係る現金処理装置に用いることができる。
また、第５発明は、現金処理装置の筐体の内部に収納された紙幣ユニットを固定するユニットロック機構であって、前記筐体の内部に設けられた突起部と、前記突起部に係合する係合部を備えるロック部材とを有し、前記ロック部材は、前記紙幣ユニットに固定されるベースブラケットと、前記係合部を備え、前記ベースブラケットに軸支され、先端部が回動するロックブラケットと、前記ロックブラケットの先端部が閉鎖されている状態を、前記係合部が前記突起部に係合する当該ユニットロック機構の施錠状態とし、前記ロックブラケットの先端部が開放されている状態を、前記係合部が前記突起部から外れる当該ユニットロック機構の開錠状態とし、前記ロックブラケットの先端部の状態に応じて、当該ユニットロック機構の前記施錠状態及び前記開錠状態のいずれか一方の値の信号を前記現金処理装置に設けられた制御部に出力するロック検知部とを備えており、前記ロックブラケットは、当該ユニットロック機構を施錠及び開錠するためのユニットキーが挿し込まれるユニットキー用鍵穴が、天板の上面に設けられているとともに、当該ユニットキーと噛み合うキーシリンダが、当該天板の下面の、当該ユニットキー用鍵穴の直下の位置に取り付けられており、前記キーシリンダは、その先端部にフック部材を備えており、前記ベースブラケットは、前記フック部材と係合する固定部材が、底板の上面に設けられており、前記フック部材は、当該ユニットロック機構の施錠時に、前記キーシリンダが施錠位置方向に回動することにより、前記固定部材と係合し、一方、当該ユニットロック機構の開錠時に、前記キーシリンダが開錠位置方向に回動することにより、前記固定部材との係合が解かれる構造になっている構成とする。
【発明の効果】
【００１４】
本発明によれば、リジェクト紙幣を収納するリジェクト庫のセキュリティを向上させることができる。
【図面の簡単な説明】
【００１５】
【図１】実施形態に係る現金処理装置の全体の構成を示す図である。
【図２】実施形態に係る現金処理装置の後側の構成を示す図（１）である。
【図３】実施形態に係る現金処理装置の後側の構成を示す図（２）である。
【図４】実施形態に係る現金処理装置の後側の構成を示す図（３）である。
【図５Ａ】実施形態に係るユニットロック機構に用いるロック部材の構成を示す図（１）である。
【図５Ｂ】実施形態に係るユニットロック機構に用いるロック部材の構成を示す図（２）である。
【図５Ｃ】実施形態に係るユニットロック機構に用いるロック部材の構成を示す図（３）である。
【図６】実施形態で記録されるロック履歴情報の一例を示す図である。
【発明を実施するための形態】
【００１６】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１７】
［実施形態］
本実施形態に係る現金処理装置１は、例えば、金融機関や流通機関に設置された自動取引装置（ＡＴＭ）や流通機関に設置された発券機等の、現金処理を実行する装置である。なお、ここでは、現金処理装置１が自動取引装置（ＡＴＭ）である場合を想定して説明する。また、係員が現金処理装置１をメンテナンスする場合を想定して説明する。
【００１８】
なお、係員は、対応可能なセキュリティのランクに応じて、「扉キー（図示せず）」と「ユニットキー（図示せず）」との双方の所持が認められた人物と、「扉キー（図示せず）」の所持しか認められていない人物とに、予め割り振られているものとする。
【００１９】
なお、「扉キー」は、後記する扉ロック機構４０（図１（ｃ）参照）を選択的に施錠及び開錠のいずれか一方の状態にするためのキーを意味している。
また、「ユニットキー」は、後記するユニットロック機構６０（図３（ａ）参照）を選択的に施錠及び開錠のいずれか一方の状態にするためのキーを意味している。
「扉キー」と「ユニットキー」とは、それぞれ、異なる専用のキーとなっており、扉キーにより、扉ロック機構４０を解錠しなければ、ユニットキーによりユニットロック機構６０を解錠することができない。
【００２０】
＜現金処理装置の構成＞
以下、図１〜図４を参照して、本実施形態に係る現金処理装置１の構成につき説明する。図１は、実施形態に係る現金処理装置の全体の構成を示す図である。また、図２〜図４は、それぞれ、実施形態に係る現金処理装置の後側の構成を示す図である。
【００２１】
図１（ａ）は、左斜め前の上方の位置から見た、本実施形態に係る現金処理装置１の構成を示している。また、図１（ｂ）は、右斜め前の上方の位置から見た、現金処理装置１の構成を示している。また、図１（ｃ）は、左斜め後の上方の位置から見た、現金処理装置１の構成を示している。
【００２２】
図１（ａ）及び図１（ｂ）に示すように、現金処理装置１は、筐体２の前側に、顧客操作部３を有している。顧客操作部３は、顧客が操作する操作パネルである。
また、図１（ｃ）に示すように、現金処理装置１は、内部に、各部の動作を実行する制御部１ａを有している。
【００２３】
また、図１（ｃ）に示すように、現金処理装置１は、筐体２の後側に、リヤ扉４を有している。リヤ扉４は、筐体２の後側から筐体２の内部を封止する扉である。
リヤ扉４には、係員操作部５及び扉キー用鍵穴４１が設けられている。
係員操作部５は、係員が操作する操作パネルである。
扉キー用鍵穴４１は、扉キー（図示せず）が挿し込まれる穴である。
【００２４】
現金処理装置１は、筐体２の内部の、扉キー用鍵穴４１の奥となる位置に、扉ロック機構４０が設けられている。
扉ロック機構４０は、リヤ扉４が開放不能な状態を施錠状態とし、リヤ扉４が開放可能な状態を開錠状態とし、閉鎖状態のリヤ扉４を選択的に施錠又は開錠する機構である。扉ロック機構４０は、公知の構成要素であるので、ここでは詳細な説明を省略する。
【００２５】
係員は、リヤ扉４を開放する場合に、まず、係員操作部５を操作して、係員ＩＤ情報を現金処理装置１に入力する（図２（ａ）参照）。図２（ａ）は、係員操作部５が係員によって操作された状態を示している。
【００２６】
なお、「係員ＩＤ」は、各係員に固有に割り振られた識別番号である。「係員ＩＤ情報」は、その係員ＩＤを表す情報である。ここでは、係員ＩＤ情報が係員によって所持されるカード媒体の記憶手段に記憶されているとともに、現金処理装置１がそのカード媒体から情報を読み取るカードリーダを備えているものとする。そして、係員ＩＤ情報は、係員がカード媒体を係員操作部５のカードリーダに読み取らせることにより、現金処理装置１に入力されるものとする。なお、現金処理装置１に入力された係員ＩＤ情報は、係員操作部５から制御部１ａに出力される。
【００２７】
次に、係員は、扉キー（図示せず）を扉キー用鍵穴４１（図１（ｃ）参照）に挿し込み、扉キーを開放方向に回転させる。これにより、扉ロック機構４０が開錠状態になる。その結果、リヤ扉４が開放可能な状態になる。このとき、制御部１ａは、扉ロック機構４０が開錠された情報として、日時や係員ＩＤ等の情報を、記憶部（図示せず）に記憶されたロック履歴情報１００（図６参照）に登録する。
【００２８】
次に、係員は、リヤ扉４を開放する。図２（ｂ）は、現金処理装置１の、リヤ扉４が開放された状態を示している。現金処理装置１は、筐体２の内部に、紙幣ユニット６及びユニットロック機構６０が設けられている。
【００２９】
紙幣ユニット６は、出金紙幣として使用する紙幣を収納する収納部である。本実施形態では、紙幣ユニット６は、直方体の形状に構成されている。また、本実施形態では、紙幣ユニット６は、その内部に、リジェクト庫として使用される収納カセット８１（図４（ｂ）参照）が格納される構成になっている。そのため、本実施形態では、紙幣ユニット６は、出金紙幣として使用可能な紙幣（正券）だけでなく、出金紙幣として使用不能な紙幣（リジェクト紙幣）をも、その内部に収納する構成になっている。
【００３０】
ユニットロック機構６０は、紙幣ユニット６を筐体２の内部に固定する機構である。ユニットロック機構６０は、紙幣ユニット６が筐体２の内部から引き出し不能な状態を施錠状態とし、紙幣ユニット６が筐体２の内部から引き出し可能な状態を開錠状態とし、筐体２の内部に収納された状態の紙幣ユニット６を選択的に施錠状態又は開錠状態にする。
【００３１】
本実施形態では、ユニットロック機構６０は、ロック部材６１（図３（ａ）、及び、図５Ａ〜図５Ｃ参照）と、筐体２の側板の内壁面に設けられた突起部６９（図３（ｂ）参照）とによって構成されている。
【００３２】
ロック部材６１は、その後端部の下端付近に設けられたポスト６４（図５Ａ（ａ）参照）を支点にして、先端部が開閉自在な構成になっている。ユニットロック機構６０は、ロック部材６１の先端部が開くことにより、開錠状態になり、ロック部材６１の先端部が閉じることにより、施錠状態になる。図５Ａ（ａ）は施錠状態を示し、図５Ａ（ｂ）は開錠状態を示している。
【００３３】
ロック部材６１は、図示せぬ信号線を介して現金処理装置１の制御部１ａと電気的に接続されており、ロック部材６１の先端部の開閉状態を制御部１ａに通知するための信号（以下、「開閉通知信号」と称する）を制御部１ａに出力する機能を有している。
【００３４】
「開閉通知信号」は、ロック部材６１の先端部が開けられると、これに応答して、値が変動する。現金処理装置１の制御部１ａは、その変動に基づいて、ユニットロック機構６０が開錠状態になったことを検知（判定）する。例えば、現金処理装置１の制御部１ａは、その変動がリヤ扉４の開放後の奇数回目の変動であれば、ユニットロック機構６０が開錠状態になったと判定する。なお、「開閉通知信号」は、ロック部材６１の先端部が開き続けている間、ユニットロック機構６０が開錠状態であることを表す値となるようにしてもよい。これにより、現金処理装置１の制御部１ａは、ユニットロック機構６０が開錠状態になっていることを検知（判定）することができる。
【００３５】
一方、「開閉通知信号」は、ロック部材６１の先端部が閉められると、これに応答して、値が変動する。現金処理装置１の制御部１ａは、その変動に基づいて、ユニットロック機構６０が施錠状態になったことを検知（判定）する。例えば、現金処理装置１の制御部１ａは、その変動がリヤ扉４の開放後の偶数回目の変動であれば、ユニットロック機構６０が施錠状態になったと判定する。なお、「開閉通知信号」は、ロック部材６１の先端部が閉じ続けている間、ユニットロック機構６０が施錠状態であることを表す値となるようにしてもよい。これにより、現金処理装置１の制御部１ａは、ユニットロック機構６０が施錠状態になっていることを検知（判定）することができる。
【００３６】
なお、ロック部材６１は、ユニットロック機構６０の開閉状態が変化したときに、開閉通知信号として、単発的な信号を発信する構成にすることもできる。
ロック部材６１の詳細な構成については、図５Ａ〜図５Ｃを参照して、後記する。
【００３７】
次に、係員は、ロック部材６１の先端部を開いて、ユニットロック機構６０を開錠する。図３（ａ）は、現金処理装置１の、ユニットロック機構６０が開錠された状態を示している。このとき、現金処理装置１の制御部１ａは、ロック部材６１から出力される開閉通知信号の状態に基づいて、ユニットロック機構６０の開錠状態を検知する。そして、制御部１ａは、ユニットロック機構６０が開錠された情報として、日時や係員ＩＤ等の情報をロック履歴情報１００（図６参照）に登録する。
【００３８】
次に、係員は、筐体２の内部から紙幣ユニット６を引き出す。図３（ｂ）は、現金処理装置１の、紙幣ユニット６が筐体２の内部から引き出された状態を示している。現金処理装置１は、筐体２の内部に載置部材７を有している。載置部材７は、紙幣ユニット６がその上に載置される部材である。載置部材７は、紙幣ユニット６の両横にスライドレール７ａを備えている。
【００３９】
現金処理装置１の筐体２は、スライドレール７ａを介して、載置部材７を摺動自在に支持している。そのため、係員は、紙幣ユニット６を筐体２の内部から外部に引き出したり、紙幣ユニット６を筐体２の外部から内部に収納したりすることができる。
【００４０】
なお、紙幣ユニット６の側板の壁面と筐体２の側板の内壁面との間には、幅Ｔの隙間が設けられている。スライドレール７ａは、その隙間内に設けられている。そして、筐体２の側板の内壁面には、紙幣ユニット６の側板の壁面の方向に突出する突起部６９が設けられている。突起部６９は、ロック部材６１の先端部が閉じた状態になっている場合に、ロック部材６１と係合する構成要素である。突起部６９の長さは、幅Ｔの隙間よりも短い長さに設定されている。
【００４１】
図４（ａ）に示すように、紙幣ユニット６は、天板に、開閉カバー８が設けられている。図４（ａ）は、図３（ｂ）と同様に、現金処理装置１の、紙幣ユニット６が筐体２の内部から引き出された状態を示している。開閉カバー８は、紙幣ユニット６が筐体２の内部に収納されている場合に、開放不能な状態となり、一方、紙幣ユニット６が筐体２の外部に引き出されている場合に、開放可能な状態になる。
【００４２】
紙幣ユニット６は、開閉カバー８の下に、紙幣を収納する１乃至複数の収納カセット８１（図４（ｂ）参照）が格納されている。本実施形態では、収納カセット８１が、リジェクト券を収納するリジェクト庫として使用される場合を想定して説明する。ただし、収納カセット８１は、当然ながら、リジェクト庫としてだけでなく、正券を収納する金庫として使用することができる。
【００４３】
次に、係員は、開閉カバー８を開き、収納ユニット６の内部からリジェクト庫として使用する収納カセット８１を取り出す。図４（ｂ）は、現金処理装置１の、収納カセット８１が収納ユニット６の内部から取り出された状態を示している。
【００４４】
＜ユニットロック機構に用いるロック部材の構成＞
以下、図５Ａ〜図５Ｃ（主に、図５Ａ）を参照して、ユニットロック機構６０に用いるロック部材６１の構成につき説明する。図５Ａ〜図５Ｃは、それぞれ、実施形態に係るユニットロック機構に用いるロック部材の構成を示す図である。
【００４５】
図５Ａ（ａ）は、左斜め前の上方の位置から見た、先端部が閉じた状態のロック部材６１の構成を示している。また、図５Ａ（ｂ）は、左斜め前の上方の位置から見た、先端部が開いた状態のロック部材６１の構成を示している。なお、図５Ａ（ｂ）は、バネ６５（図５Ａ（ａ）参照）を除外した構成を示している。
図５Ｂ（ａ）は、右斜め前の上方の位置から見た、先端部が閉じた状態のロック部材６１の構成を示している。また、図５Ｂ（ｂ）は、右斜め前の上方の位置から見た、先端部が開いた状態のロック部材６１の構成を示している。
図５Ｃ（ａ）は、ほぼ左横の上方の位置から見た、先端部が閉じた状態のロック部材６１の構成を示している。また、図５Ｃ（ｂ）は、ほぼ左前の下方の位置から見た、先端部が開いた状態のロック部材６１の構成を示している。
【００４６】
ここで、「ロック部材６１の先端部が閉じた状態」とは、ロック部材６１を構成するベースブラケット６２の先端部とロックブラケット６３の先端部とが接近した状態を意味している。また、「ロック部材６１の先端部が開いた状態」とは、ロック部材６１を構成するベースブラケット６２の先端部とロックブラケット６３の先端部とが離間した状態を意味している。
【００４７】
図５Ａ（ａ）に示すように、ロック部材６１は、ベースブラケット６２、ロックブラケット６３、ポスト６４、及び、バネ６５を有している。
ベースブラケット６２は、載置部材７（図３（ｂ）参照）に固定される部材である。
ロックブラケット６３は、紙幣ユニット６を施錠する部材である。
ポスト６４は、ベースブラケット６２とロックブラケット６３とを回動自在に軸支する部材である。
バネ６５は、ロックブラケット６３を付勢する部材である。
【００４８】
ベースブラケット６２は、板材の両端部が上側に略垂直に折り曲げられた構成になっている。そのため、ベースブラケット６２は、１枚の底板に、２枚の側板が延在する構成になっている。
【００４９】
ロックブラケット６３は、板材の両端部が下側に略垂直に折り曲げられた構成になっている。そのため、ロックブラケット６３は、１枚の天板に、２枚の側板が延在する構成になっている。
【００５０】
ロックブラケット６３は、その側板の後端部の下端付近が、ポスト６４によって、ベースブラケット６２の側板の後端部の下端付近に軸支されている。そのため、ロックブラケット６３は、ポスト６４を支点にして、ベースブラケット６２に対して回動自在な構成となっている。
【００５１】
ロックブラケット６３は、一方の側板の壁面に、係合部６３ａ（図５Ａ（ｂ）参照）が設けられている。係合部６３ａは、筐体２の側板の内壁面に設けられた突起部６９（図３（ｂ）参照）と係合する切欠部分である。
【００５２】
ユニットロック機構６０は、ロック部材６１の先端部が閉じた場合に、ロックブラケット６３の係合部６３ａと筐体２の突起部６９（図３（ｂ）参照）とが係合し、その結果、施錠状態になる。一方、ユニットロック機構６０は、ロック部材６１の先端部が開いた場合に、ロックブラケット６３の係合部６３ａと筐体２の突起部６９との係合が解かれ、その結果、開錠状態になる。
【００５３】
なお、ロックブラケット６３は、天板の後端部に、上方向に突出する突出部６３ｂが設けられている。突出部６３ｂは、係員がロック部材６１の先端部を開閉させる場合に、係員によって把持される部位である。係員は、ロックブラケット６３の突出部６３ｂを把持して、押したり、引いたりすることにより、ロック部材６１の先端部を開閉させる。
【００５４】
ロックブラケット６３は、天板の上面に、ユニットキー用鍵穴６１ａ（図５Ａ（ａ）参照）が形成されている。また、ロックブラケット６３は、天板の下面に、キーシリンダ６６（図５Ａ（ｂ）参照）が取り付けられている。
【００５５】
ユニットキー用鍵穴６１ａは、ユニットロック機構６０専用の前記したユニットキー（図示せず）が挿し込まれる開口である。ユニットキーは、ユニットキー用鍵穴６１ａを通って、キーシリンダ６６の内部に挿し込まれる。
【００５６】
キーシリンダ６６は、ユニットキーと噛み合う部材である。キーシリンダ６６は、ロックブラケット６３の天板の下面（ロック部材６１の内部側の面）の、ユニットキー用鍵穴６１ａの直下となる位置に設けられている。キーシリンダ６６は、ロック部材６１の先端部が閉じた状態となっている場合に、垂直方向に配置されている。
【００５７】
キーシリンダ６６は、係員が、ユニットキーを差し込み、ユニットキーを施錠位置から開錠位置まで回転させることにより、その先端部が回動する。そのキーシリンダ６６の先端部には、フック部材６７（図５Ａ（ｂ）参照）が取り付けられている。
【００５８】
なお、「施錠位置」とは、ユニットロック機構６０を施錠状態にするためのキーの位置を意味している。また、「開錠位置」とは、ユニットロック機構６０を開錠状態にするためのキーの位置を意味している。
【００５９】
フック部材６７は、施錠時に、その先端部が、ベースブラケット６２の底板の上面（ロック部材６１の内部側の面）に設けられた固定部材６８（図５Ａ（ｂ）参照）の先端部と係合する（引っ掛かる）部材である。フック部材６７は、先端部が略水平方向に折り曲げられた構成になっている。
【００６０】
ロック部材６１は、係員がユニットキーを回転させると、キーシリンダ６６の先端部が回動するとともに、フック部材６７がキーシリンダ６６の先端部と一緒に同じ方向に回動する。これにより、フック部材６７の先端部が、固定部材６８の先端部と係合したり、固定部材６８の先端部から外れたりする。
【００６１】
なお、固定部材６８は、ユニットロック機構６０の施錠時に、その先端部がフック部材６７の先端部と係合する（引っ掛かる）部材である。固定部材６８は、図５Ａ（ｂ）に示すように、ベースブラケット６２の底板の上面（ロック部材６１の内部側の面）に、上方向に突出して設けられている。
【００６２】
固定部材６８は、その先端部がフック部材６７の方向に向けて略水平方向に折り曲げられた構成になっている。そのため、フック部材６７は、その先端部が回動することにより、その先端部が固定部材６８の先端部と係合したり、その先端部が固定部材６８の先端部から外れたりする。なお、フック部材６７の先端部が固定部材６８の先端部から外れた場合とは、フック部材６７の先端部と固定部材６８の先端部との係合が解かれた状態を意味する。
【００６３】
ロック部材６１は、フック部材６７の先端部が固定部材６８の先端部と係合している場合に、その先端部が開放不能な状態になる。一方、ロック部材６１は、フック部材６７の先端部が固定部材６８の先端部から外れた場合に、その先端部が開放可能な状態になる。
【００６４】
係員は、例えば、開錠状態になっているユニットロック機構６０を施錠状態にする場合に、ユニットロック機構６０を以下のように操作する。まず、係員は、突出部６３ｂ（図５Ａ（ｂ）参照）を押して、ロック部材６１の先端部を閉じさせる。これにより、ユニットロック機構６０は、施錠可能な状態になる。次に、係員は、ユニットキーを開錠位置から施錠位置まで回転させる。これにより、ロック部材６１は、フック部材６７の先端部が固定部材６８の先端部と係合して、その先端部が閉じた状態になる。その結果、ユニットロック機構６０は、施錠状態になる。
【００６５】
一方、係員は、例えば、施錠状態になっているユニットロック機構６０を開錠状態にする場合に、ユニットロック機構６０を以下のように操作する。まず、係員は、ユニットキーを施錠位置から開錠位置まで回転させる。これにより、ロック部材６１は、フック部材６７の先端部が固定部材６８の先端部から外れる。その結果、ユニットロック機構６０は、開錠可能な状態になる。次に、係員は、突出部６３ｂ（図５Ａ（ｂ）参照）を引いて、ロック部材６１の先端部を開けさせる。その結果、ユニットロック機構６０は、開錠状態になる。
【００６６】
なお、ロックブラケット６３は、係合部６３ａが設けられている側板とは逆側の側板（他方の側板）の壁面に、検知ブラケットＬＢが設けられている。検知ブラケットＬＢは、ロックブラケット６３の内部で、遮蔽板Ｂを支持する構成要素である。
【００６７】
なお、「遮蔽板Ｂ」は、ロック検知スイッチＳＷ（図５Ａ（ｂ）参照）の発光センサＳＮ１と受光センサＳＮ２との間を摺動する部材である。「遮蔽板Ｂ」は、溝Ｄが、その板面部分の一部に形成されている。
【００６８】
「ロック検知スイッチＳＷ」は、ロック検知部として機能する構成要素である。「ロック検知スイッチＳＷ」は、前記した「開閉通知信号」を制御部１ａに出力する。本実施形態では、ロック検知スイッチＳＷは、発光センサＳＮ１と受光センサＳＮ２とによって構成されているものとして説明する。
【００６９】
ロック検知スイッチＳＷの発光センサＳＮ１及び受光センサＳＮ２は、それぞれ、ベースブラケット６２の底板の上面（ロック部材６１の内部側の面）に設けられた固定部材６８（図５Ａ（ｂ）参照）の先端側の面（遮蔽版Ｂと対向する側の面）から、遮蔽版Ｂの方向に向けて略水平に突出して設けられている。
【００７０】
本実施形態では、遮蔽板Ｂは、ロック部材６１の先端部が閉じている場合（すなわち、ユニットロック機構６０が施錠状態になっている場合）に、その板面部分に設けられた溝Ｄが発光センサＳＮ１と受光センサＳＮ２との間に配置される。そのため、この場合に、ロック検知スイッチＳＷの発光センサＳＮ１から受光センサＳＮ２に照射される光が、溝Ｄの中を通過して、受光センサＳＮ２に到達する。
【００７１】
一方、本実施形態では、遮蔽板Ｂは、ロック部材６１の先端部が開いている場合（すなわち、ユニットロック機構６０が開錠状態になっている場合）に、その板面部分が発光センサＳＮ１と受光センサＳＮ２との間よりも上方の位置に移動する。そのため、この場合に、ロック検知スイッチＳＷの発光センサＳＮ１から受光センサＳＮ２に照射される光が、遮蔽板Ｂの板面部分の下を通過して、受光センサＳＮ２に到達する。
【００７２】
発光センサＳＮ１から受光センサＳＮ２に照射される光は、ロック部材６１の先端部が閉じた状態から開いた状態に変化した場合（すなわち、ユニットロック機構６０が施錠状態から開錠状態に変化した場合）に、又は、逆に、ロック部材６１の先端部が開いた状態から閉じた状態に変化した場合（すなわち、ユニットロック機構６０が開錠状態から施錠状態に変化した場合）に、遮蔽板Ｂによって一時的に遮光される。そのため、これらの場合に、ロック検知スイッチＳＷ（図５Ａ（ｂ）参照）から現金処理装置１の制御部１ａ（図３（ａ）参照）に出力される開閉通知信号の値が一時的に変動する。
【００７３】
前記した通り、現金処理装置１の制御部１ａは、その変動に基づいて、ユニットロック機構６０が開錠状態になったことを検知（判定）する。例えば、現金処理装置１の制御部１ａは、その変動がリヤ扉４の開放後の奇数回目の変動であれば、ユニットロック機構６０が開錠状態になったと判定する。また、例えば、現金処理装置１の制御部１ａは、その変動がリヤ扉４の開放後の偶数回目の変動であれば、ユニットロック機構６０が施錠状態になったと判定する。
【００７４】
なお、前記した通り、「開閉通知信号」は、ロック部材６１の先端部が開き続けている間、ユニットロック機構６０が開錠状態であることを表す値となるようにしてもよい。これにより、現金処理装置１の制御部１ａは、ユニットロック機構６０が開錠状態になっていることを検知（判定）することができる。また、「開閉通知信号」は、ロック部材６１の先端部が閉じ続けている間、ユニットロック機構６０が施錠状態であることを表す値となるようにしてもよい。これにより、現金処理装置１の制御部１ａは、ユニットロック機構６０が施錠状態になっていることを検知（判定）することができる。
【００７５】
このような「開閉通知信号」は、ロック部材６１の先端部が開いた状態の場合に、遮蔽板Ｂの板面部分が、発光センサＳＮ１と受光センサＳＮ２との間に配置されて、発光センサＳＮ１から受光センサＳＮ２に照射される光を遮光することにより、実現することができる。
【００７６】
現金処理装置１の制御部１ａは、ロック検知スイッチＳＷから出力される開閉通知信号の値に基づいて、ロック部材６１の先端部の開閉状態（すなわち、ユニットロック機構の開錠状態又は施錠状態）を検知（判定）する。そして、制御部１ａは、ユニットロック機構６０の開錠状態を検知した場合に、ユニットロック機構６０の開錠情報として、日時や係員ＩＤ等の情報をロック履歴情報１００（図６参照）に登録する。また、制御部１ａは、ユニットロック機構６０の施錠を検知した場合に、ユニットロック機構６０の施錠情報として、日時や係員ＩＤ等の情報をロック履歴情報１００に登録する。なお、図６は、実施形態で記録されるロック履歴情報の一例を示す図である。
【００７７】
このような現金処理装置１は、リジェクト庫として使用する収納カセット８１を紙幣ユニット６の内部に収納させている。これにより、現金処理装置１は、扉キーとユニットキーとの双方のキーを所持する係員しか、現金処理装置１の内部に収納された現金にアクセスできないようにしている。そのため、現金処理装置１は、ユニットキーを所持することができない係員が、現金処理装置１の内部に収納された現金にアクセスするのを防止することができる。これにより、現金処理装置１は、リジェクト庫のセキュリティを向上させることができる。
【００７８】
なお、「扉キーとユニットキーとの双方のキーを所持する係員」とは、現金処理装置１の内部に収納された現金へのアクセスが許可された、対応可能なセキュリティのランクが高位の係員を意味している。また、「ユニットキーを所持することができない係員」とは、例えば、通常のメンテナンス作業しか行えない、対応可能なセキュリティのランクが低位の係員を意味している。現金処理装置１は、このように、係員を、ランクが高位の係員とランクが低位の係員とに分別することができるため、セキュリティを向上させることができる。
【００７９】
また、このような現金処理装置１は、いつ、どの係員が扉ロック機構４０やユニットロック機構６０を開錠したり施錠したりしたのかを表すロック履歴情報１００を記録する。そのため、現金処理装置１は、仮に、悪意のある係員によってリジェクト庫からリジェクト紙幣が抜き取られる場合があったとしても、その痕跡を残す（ロック履歴情報１００（図６参照）を記録する）ことができる。その結果、現金処理装置を利用する金融機関等は、この場合に、その行為を簡単に見つけることができる。これにより、現金処理装置１は、リジェクト庫のセキュリティをさらに向上させることができる。
【００８０】
以上の通り、本実施形態に係る現金処理装置１によれば、リジェクト庫のセキュリティを向上させることができる。
また、現金処理装置１によれば、仮に、悪意のある係員によって紙幣が抜き取られる場合があったとしても、その痕跡を残す（ロック履歴情報１００（図６参照）を記録する）ことができる。
【００８１】
本発明は、前記した実施形態に限定されることなく、本発明の要旨を逸脱しない範囲で種々の変更や変形を行うことができる。
例えば、ユニットロック機構６０（図５Ａ〜図５Ｃ参照）は、（１）紙幣ユニット６を選択的に施錠又は開錠することができるという条件、及び、（２）施錠状態及び開錠状態を制御部１ａに通知することができるという条件を満たしていれば、その構成を変更することができる。
また、ロック履歴情報１００（図６参照）は、運用に応じて、その構成を適宜変更することができる。
【符号の説明】
【００８２】
１    現金処理装置
１ａ    制御部
２    筐体
３    顧客操作部
４    リヤ扉
５    係員操作部
６    紙幣ユニット
７    載置部材
７ａ    スライドレール
８    開閉カバー
４０    扉ロック機構
４１    扉キー用鍵穴
６０    ユニットロック機構
６１    ロック部材
６１ａ    ユニットキー用鍵穴
６２    ベースブラケット
６３    ロックブラケット
６３ａ    係合部
６４    ポスト
６５    バネ
６６    キーシリンダ
６７    フック部材
６８    固定部材
６９    突起部
８１    収納カセット（リジェクト庫）
１００    ロック履歴情報
Ｂ    遮蔽版
Ｄ    溝
ＬＢ    検知ブラケット
ＳＮ１    発光センサ
ＳＮ２    受光センサ
ＳＷ    ロック検知スイッチ（ロック検知部）
【図１】
0005928109.tif 000002
【図２】
0005928109.tif 000003
【図３】
0005928109.tif 000004
【図４】
0005928109.tif 000005
【図５Ａ】
0005928109.tif 000006
【図５Ｂ】
0005928109.tif 000007
【図５Ｃ】
0005928109.tif 000008
【図６】
0005928109.tif 000009